【事件の表示】
　特許第６７８９５６３号発明「繊維処理用組成物及び当該組成物で処理された繊維製品」の特許異議申立事件について、次のとおり決定する。
【結　論】
　特許第６７８９５６３号の請求項１ないし７に係る特許を維持する。
【理　由】
第１　手続の経緯
　特許第６７８９５６３号（以下「本件特許」という。）の請求項１〜７に係る特許についての出願は、平成２８年４月７日に出願され、令和２年１１月６日にその特許権の設定登録がされ、令和２年１１月２５日に特許掲載公報が発行された。その後、その特許に対し、令和３年５月１４日に特許異議申立人新井晶代（以下「申立人」という。）が、特許異議の申立て（以下「本件異議申立」という。）を行った。
第２　本件発明
　特許第６７８９５６３号の請求項１〜７の特許に係る発明は、それぞれ、その特許請求の範囲の請求項１〜７に記載された事項により特定される次のとおりのものである。
「【請求項１】
（Ａ）下記式（１）〜（４）のいずれかの構造を有する第４級アンモニウム塩の少なくとも一種類と、
【化１】
［式（１）中、Ｒ１は炭素数４〜９のアルキル基又はシクロアルキル基、Ｒ２〜Ｒ４はメチル基又はエチル基、Ｘ-はフッ素以外のハロゲン化物イオン、メチル硫酸イオン、エチル硫酸イオン、硫酸イオン、硝酸イオン、リン酸イオン、炭酸イオン、ギ酸イオン、酢酸イオン、リンゴ酸イオン、クエン酸イオン、ｎ-プロピル硫酸イオン、ベンゼンスルホン酸イオン、ｐ-トルエンスルホン酸イオン、メチルリン酸イオン、エチルリン酸イオンから選択される少なくとも一種の１価のアニオンを示す。］
【化２】
［式（２）中、Ｒ５は炭素数４〜９のアルキル基、シクロアルキル基又はアリール基、Ｒ６は水素、メチル基又はエチル基を示す。Ｘ-はフッ素以外のハロゲン化物イオン、メチル硫酸イオン、エチル硫酸イオン、硫酸イオン、硝酸イオン、リン酸イオン、炭酸イオン、ギ酸イオン、酢酸イオン、リンゴ酸イオン、クエン酸イオン、ｎ-プロピル硫酸イオン、ベンゼンスルホン酸イオン、ｐ-トルエンスルホン酸イオン、メチルリン酸イオン、エチルリン酸イオンから選択される少なくとも一種の１価のアニオンを示す］
【化３】
［式（３）中、Ｒ７は炭素数４〜９のアルキル基、シクロアルキル基又はアリール基、Ｒ８はメチル基又はエチル基を示す。Ｘ-は１価のアニオンを示す］
【化４】
［式（４）中、Ｒ９は炭素数４〜９のアルキル基、シクロアルキル基又はアリール基、Ｒ１０はメチル基又はエチル基、Ｙは炭素数３〜９のアルキレン基又は-Ｈ２ＣＨ２ＯＣＨ２ＣＨ２-を示す。Ｘ-は１価のアニオンを示す］（Ｂ）フッ素を含まないはっ水剤と、を含有する繊維処理用組成物。
【請求項２】
前記Ｒ１、Ｒ５、Ｒ７及びＲ９の炭素数が６〜８である、請求項１に記載の繊維処理用組成物。
【請求項３】
前記（Ｂ）フッ素を含まないはっ水剤が、炭素数１２以上の長鎖アルキル基を持つ（メタ）アクリレートを６０重量％以上含むアクリル系共重合体、パラフィンワックス、メラミンワックス、高級脂肪酸エステル系化合物、高級脂肪酸アミド系化合物、アルキレン尿素系化合物、ジルコニウム系化合物及びシリコーン樹脂からなる群から選ばれる少なくとも１つを含む、請求項１又は２に記載の繊維処理用組成物。
【請求項４】
前記（Ｂ）フッ素を含まないはっ水剤が、炭素数１２以上の長鎖アルキル基を持つ（メタ）アクリレートを６０重量％以上含むアクリル系共重合体、パラフィンワックス、高級脂肪酸エステル系化合物及びシリコーン樹脂からなる群から選ばれる少なくとも１つを含む、請求項１又は２に記載の繊維処理用組成物。
【請求項５】
前記Ｘ-が、フッ素以外のハロゲン化物イオン、メチル硫酸イオン、エチル硫酸イオンである請求項１〜４のいずれか１項に記載の繊維処理用組成物。
【請求項６】
（ａ）請求項１〜５のいずれか１項に記載の繊維処理用組成物で繊維を処理する工程と、
（ｂ）前記工程の後、１００℃以上の温度で熱処理する工程と、を含む、繊維製品のはっ水加工方法。
【請求項７】
請求項１〜５のいずれか１項に記載の繊維処理用組成物で処理された、はっ水性を付与された繊維製品。」
第３　異議申立理由の概要
　申立人は、概ね次の申立理由１〜３のとおり主張をしている。
１．申立理由１
　主たる証拠として甲第１号証（以下「甲１」という。）及び従たる証拠として甲第２号証（以下「甲２」という。）を提出し、甲２に記載された事項を参考とした上で、本件特許の請求項１−２、５に係る発明は、甲１に記載された発明と同一であり、特許法第２９条第１項第３号に規定する発明に該当するから、本件特許の請求項１、２及び５に係る特許は取り消すべきものである。
甲第１号証：特開昭６１−０８９３７１号公報
甲第２号証：特開平７−２７９０４７号公報
２．申立理由２
　本件特許の明細書の実施例の記載をみても、親水性が高いと考えられる本発明の式（１）〜（４）のいずれの構造を有する第４級アンモニウム塩と、実施例に具体的に示されたアクリル系共重合体(Ｂ−１)、パラフィンワックス系(Ｂ−２)、パラフィンワックス系と脂肪酸エステル系配合（Ｂ−３）、シリコーン系（Ｂ−４）の４種類以外の極めて多くの種類の「（Ｂ）フッ素を含まないはっ水剤」との、組み合わせの全てが、実施例に記載された繊維処理用組成物と同様に、はっ水性を損なうことなく良好な帯電防止性をも付与することができ、安定性にも問題無いことを、当業者であっても直ちに理解することはできず、本件特許の発明が解決しようとする課題を解決できるとはいえず、また、そのような出願時の技術常識があるとはいえないから、本件特許の特許請求の範囲の記載は、発明の詳細な説明に記載されたものとはいえず、特許法第３６条第６項第１号に規定する要件を満たしていないので、本件特許の請求項１〜７に係る特許は取り消すべきものである。
３．申立理由３
　本件特許の請求項１に係る発明の「（Ｂ）フッ素を含まないはっ水剤」には、どの程度のはっ水性能を有する、どのような物質が含まれ、どのような物質が含まれないのか、本件特許の明細書には明確な定義が記載されておらず、当該技術分野において、「（Ｂ）フッ素を含まないはっ水剤」に含まれる物質群について、当業者が明確に認識しているとまではいえないから、本件特許の請求項１、２、５〜７に係る発明は明確とはいえず、特許法第３６条第６項第２号に規定する要件を満たしていないので、本件特許の請求項１、２、５〜７に係る特許は取り消すべきものである。
第４　申立理由１について
１．甲１及び甲２の記載
（１）甲１について
　甲１には、次の事項が記載されている。以下、下線は、理解の便宜のため、当審が付した。
「２．特許請求の範囲
１　ステアリルリン酸エステルアルカリ金属塩を５０〜９５重量％及び下記成分Ａを５〜２０重量％含有することを特徴とするポリエステル系繊維用紡績油剤。
成分Ａ：次の一般式（Ｉ）又は（ＩＩ）で示される第４級アンモニウム塩又は一般式（ＩＩＩ）で示されるポリオキシアルキレンアルキル（又はアルケニル）アミノエーテルから選ばれる化合物。
一般式（Ｉ）：
一般式（ＩＩ）：
一般式（ＩＩＩ）：
　」
「＜従来の技術、その問題点＞
　従来一般に、油剤として平滑剤、制電剤及び集束剤を配合したものが使用されており、具体的にはアルキルリン酸（又は硫酸）エステルアルカリ金属塩のようなアニオン活性剤、第４級アンモニウム塩のようなカチオン活性剤、更には非イオン活性剤等が使用されている。ところが、アルキルリン酸（又は硫酸）エステルアルカリ金属塩は平滑性がよく、カード通過性もよくて、繊維のゴムローラーへの捲付きやその脱落も少ない利点を有する反面、集束性不足によるコイリングの不良、冬場すなわち低湿度下における制電性の不足という欠点がある。またカチオン活性剤は制電性がよく、非イオン活性剤は集束性がよい利点をそれぞれ有する反面、これらはカード通過性が悪く、繊維のゴムローラーへの捲付きが多くて、それ自体やオリゴマー等の脱落も多いという欠点がある。
　そこで従来、高能率化や省力化に比較的遠した特性を有するアルキルリン酸（又は硫酸）エステルアルカリ金属塩を利用し、その前述したような欠点をカチオン活性剤と非イオン活性剤を配合することにより補うことを試みた油剤が提案されている。例えば、セチルリン酸エステルアルカリ金属塩にカチオン活性剤及び非イオン活性剤を配合した油剤等である（特開昭５９−６６５７５号公報）。
　しかし、実際のところこの種の従来油剤では、充分な所期総合的効果が発揮されないため、前述したような現状の要請に全体として応えることができず、とりわけ未処理ゴムローラーに対する効果が殆んど得られないという問題点がある。
＜発明が解決しようとする問題点、その解決手段＞
　本発明は、叙上の如き従来油剤の問題点を解決し、前述の要請に全体として応え、とりわけ未処理ゴムローラの使用をも可能にする油剤を提供するものである。
　本発明者らは、以上の観点で鋭意研究した結果、アルキルリン酸（又は硫酸）エステルアルカリ金属塩の中で炭素数１８のアルキル基を有するステアリルリン酸エステルアルカリ金属塩だけが特長的性能を持ち、これと特定のカチオン又は非イオン活性剤とを所定割合で配合した油剤が好適であることを見出した。」（２ページ右上欄９行〜右下欄１２行）
「本発明において、ステアリルリン酸エステルアルカリ金属塩の代わりに、炭素数が１８より少ないアルキル基（例えばセチル基、ラウリル基、オクチル基）を有するアルキルリン酸エステルアルカリ金属塩を使用すると特に未処理ゴムローラーへの繊維の捲付きが多くなり、まだ炭素数が１８より多いアルキル基（例えばベヘニル基）を有するアルキルリン酸エステルアルカリ金属塩を使用すると水溶性が悪くなって実用が困難になる。該ステアリルリン酸エステルアルカリ金属塩としては、ナトリウム塩、カリウム塩、リチウム塩等があるが、その制電性の点でカリウム塩が好ましい。かかるステアリルリン酸エステルアルカリ金属塩は例えば、原料アルコール（ステアリルアルコールを所定量以上含有する天然アルコールや合成アルコール等）２〜３モルと無水リン酸１モルとを常法で反応させ、生成するステアリルリン酸エステルを苛性アルカリで中和することによって得られる。
　また本発明において、前記成分Ａの具体例を挙げると、一般式（Ｉ）に属するものとしてＮ-エチル-Ｎ-ジメチル-Ｎ-ラウリルアンモニウム・エトサルフェートやＮ-トリメチル-Ｎ-オクチルアンモニウム・ジメチルホスフェート、一般式（ＩＩ）に属するものとしてＮ-ヒドロキシエチル-Ｎ-ジメチル-Ｎ-ステアロイルアミドプロピルアンモニウム・硝酸塩、一般式（ＩＩＩ）に属するものとしてポリオキシエチレン（８モル）ラウリルアミノエーテル、以上のような化合物がある。
　本発明に係る油剤は、以上説明したステアリルリン酸エステルアルカリ金属塩と成分Ａとを含有するものであるが、双方の油剤中配合比率は、前者が５０〜９５重量％、後者が５〜２０重量％である。この配合比率によってのみ所期の総合的効果が得られ且つ未処理ゴムローラの使用も可能となる。ステアリルリン酸エステルアルカリ金属塩の油剤中配合比率が９５重量％を超える場合すなわち成分Ａの油剤中配合比率が５重量未満の場合は該油剤の制電性が劣る。また、ステアリルリン酸エステルアルカリ金属塩の油剤中配合比率が５０重量％未満の場合や成分Ａの油剤中配合比率が２０重量％を超える場合は、処理又は未処理を問わずゴムローラーへの繊維の捲付きが多くなり、ゴムローラーへの該油剤やオリゴマー等の、脱落が多くなる。」（３ページ右上欄３行〜右下欄７行）
「＜実施例＞
　以下、比較例とともに本発明の実施例を挙げて、本発明の構成及び効果を一層具体的にする。
　ポリエステルステープルファイバー（１．４デニールＸ３８ｍｍ）に対し、第１表又は第２表に記載の成分からなる各油剤（実施例１〜１４、比較例１〜１５）をそれぞれスプレー法にて０．１５重量％付着させ、第３表又は第４表記載の温湿度にて２４時間放置したものを試料綿として、次の各項目で評価した。・・・
注）第１表及び第２表を通じて、ＳＰＥ−１はステアリルリン酸エステルカリウム塩で、実施例１４を除きその他の各例は、純度９５％のステアリルアルコール／無水リン酸＝３／１（モル比）の反応物を中和したもの、実施例１４は該モル比を２．５／１としたもの。ＳＰＥ−２はステアリルリン酸エステルナトリウム塩で、その内容はＳＰＥ−１の場合と同じ。ＣＰＥはセチルリン酸エステルカリウム塩で、純度９５％のセチルアルコール／無水リン酸＝３／１（モル比）の反応物を中和したもの。ＬＰＥはラウリルリン酸エステルカリウム塩で、その内容はＣＰＥの場合に準じる。
　Ａ-１はＮ-エチル-Ｎ-ジメチル-Ｎ-ラウリルアンモニウムエトサルフェート。Ａ-２はＰＯＥ（１０モル）ラウリルアミノエーテル。Ａ-３はＮ-トリメチルオクチルアンモニウムジメチルホスフェート。Ａ-４はＮ-１リメチルラウリルアミドプロビルアンモニウムメトサルフェート。Ａ’-１はＮ-エチル-Ｎ-ジメチル-Ｎ-ヘキシルアンモニウムエトサルフェート。Ａ′-２はＮ-トリメチル-Ｎ-ペヘノイルアミドグロビルメトサルフェート。Ａ′-３はＰＯＥ（４モル）オレイルアミノエーテル。
　＊１はＰＯＥ（１０モル）オレイルエーテル。＊２はＰＯＥ（１０モル）ステアリン酸エステル。＊３はオクチルパルミテート。」（４ページ左上欄１４行〜５ページ右上欄４行）
　以上の記載事項、特に、成分Ａとして一般式（Ｉ）で示される第４級アンモニウム塩に着目すると、甲１には次の発明（以下「甲１発明」という。）が記載されている。
「ステアリルリン酸エステルアルカリ金属塩を５０〜９５重量％及び次の一般式（Ｉ）で示される第４級アンモニウム塩を５〜２０重量％含有することを特徴とするポリエステル系繊維用紡績油剤。
一般式（Ｉ）：
　　　　　　　　　　　　　　　　　　　　　
但し、Ｒ１は炭素数８〜１８の、アルキル基又はアルケニル基。Ｒ２、Ｒ３、Ｒ４は炭素数１〜３のアルキル基。
」
（２）甲２について
　甲２には、次の事項が記載されている。
「【請求項１】　ポリオレフィン繊維もしくはポリエステル繊維の表面に、アルキル基の炭素数が６以下であるアルキルリン酸エステルカリウム塩を主成分とする表面改質材が０．１〜１．０重量％付着していることを特徴とする繊維。」
「【０００３】
【発明が解決しようとする課題】本発明の目的は、繊維の状態での加工性（帯電防止性）と、この繊維を加工した不織布の撥水性の両方を同時に満足させる繊維を提供する事にある。」
「【０００７】このような表面改質剤の繊維表面への付着量は、０．１〜１．０重量％、好ましくは０．２〜０．８重量％である。付着量が０．１％未満では、帯電防止性が不良となり、
１．０％を越すと撥水性の低下、カード工程でのウェブ切れ等の問題が生じる
「【０００８】本発明の繊維は、
非常に水となじみ易い炭素数６以下のアルキルリン酸エステルカリウム塩を主成分とする表面改質剤が表面に付着しているため、これが優れた帯電防止剤として働き
、不織布等に加工した状態（繊維状、ウェブ状でも同様）で水に接触すると、繊維表面の表面改質剤は瞬時に水に溶け出し、ポリオレフィン繊維やポリエステル繊維の地肌がむき出しとなり、本来の疎水性に基づく高度の撥水性を発揮する
　以上の記載事項を綜合すると、甲２には次の事項（以下「甲２記載事項」という。）が記載されている。
「ポリオレフィン繊維もしくはポリエステル繊維の表面に、０．１〜１．０重量％付着させるアルキル基の炭素数が６以下であるアルキルリン酸エステルカリウム塩を主成分とする表面改質材であり、これが優れた帯電防止剤として働き、不織布等に加工した状態（繊維状、ウェブ状でも同様）で水に接触すると、繊維表面の表面改質剤は瞬時に水に溶け出し、ポリオレフィン繊維やポリエステル繊維の地肌がむき出しとなり、本来の疎水性に基づく高度の撥水性を発揮すること。」
２．当審の判断
（１）請求項１に係る発明について
ア．対比
　甲１発明の「Ｒ１は炭素数８〜１８の、アルキル基又はアルケニル基」のうち、Ｒ１が炭素数８〜９のアルキル基のものは、本件特許の請求項１に係る発明の「Ｒ１は炭素数４〜９のアルキル基」に一致し、甲１発明の「Ｒ２、Ｒ３、Ｒ４は炭素数１〜３のアルキル基」のうち、Ｒ２、Ｒ３、Ｒ４が炭素数１〜２のアルキル基のものは、特許の請求項１に係る発明の「Ｒ２〜Ｒ４はメチル基又はエチル基」に一致し、甲１発明のＣＨ３ＳＯ４（○に−）、Ｃ２Ｈ５ＳＯ４−（○に−）及びＮＯ３（○に−）は、それぞれ、メチル硫酸イオン、エチル硫酸イオン及び硝酸イオンであるから、甲１発明の「下記一般式（Ｉ）で示される第４級アンモニウム塩」は、本件特許の請求項１に係る発明の「下記式（１）の構造を有する第４級アンモニウム塩」に相当する。
　甲１発明の「ポリエステル系繊維用紡績油剤」は、本件特許の請求項１に係る発明の「繊維処理用組成物」に相当する。
　そうすると、本件特許の請求項１に係る発明と甲１発明とは、次の一致点で一致し、相違点で相違する。
［一致点］
「（Ａ）下記式（１）〜（４）のいずれかの構造を有する第４級アンモニウム塩の少なくとも一種類と、
【化１】
［式（１）中、Ｒ１は炭素数８〜９のアルキル基、Ｒ２〜Ｒ４はメチル基又はエチル基、Ｘ（○にー）は、メチル硫酸イオン、エチル硫酸イオン、硝酸イオンを示す。］」
［相違点］
　本件発明は「（Ｂ）フッ素を含まないはっ水剤と、を含有する」ものであるのに対し、甲１発明は、そのようなものではない点。
イ．判断
　上記相違点は実質的な相違点であるから、本件特許の請求項１に係る発明は、甲１発明ではない。
　また、甲１には、はっ水剤について記載も示唆もされておらず、かつ、「フッ素を含まないはっ水剤」はフッ素を含むはっ水剤と比較して、はっ水性能が劣ることが技術常識なのであるから、あえて甲１発明に、「フッ素を含まないはっ水剤」を含有させる動機付けはなく、本件特許の請求項１に係る発明は、当業者が甲１発明に基いて容易に発明できたものでもない。
ウ．申立人の主張について
　申立人は、特許異議申立書において、次のように主張している。
「(ii)相違点１についての検討
・・・
　また、甲第２号証記載の発明における、ステアリルフォスフェートＫ塩（ステアリルリン酸エステルカリウム塩）とオクチルフォスフェートＫ塩を含有する比較例１は、撥水性（耐水圧）に優れていることからも、ステアリルリン酸エステルカリウム塩が撥水剤としての機能を有することが理解できます。
　そうすると、甲第１号証記載の発明におけるステアリルフォスフェートＫ塩（ステアリルリン酸エステルカリウム塩）は、本願明細書の段落００３９に記載されている、（Ｂ）フッ素を含まないはっ水剤の説明である「分子の構造中にフッ素原子を含まず、かつ繊維に付与した際に撥水性を発揮するもの」に相当するものであるといえます。
　すなわち、甲第１号証記載の発明には、ステアリルフォスフェ−トＫ塩（ステアリルリン酸エステルカリウム塩）がはっ水剤であることが明示されていないだけであり、ステアリルフォスフェートＫ塩（ステアリルリン酸エステルカリウム塩）の固有の性質の１つが、はっ水剤としての機能であることは明らかです。
　したがって、上記相違点１は実質的な相違点ではなく、両発明は組成の点において差異はありません。」（１３ページ１８行〜１４ページ１２行）
　しかし、上記１.（２）のとおり、甲２に記載された「アルキル基の炭素数が６以下であるアルキルリン酸エステルカリウム塩を主成分とする表面改質材」は、帯電防止剤であり、撥水性については、表面改質剤が水に溶け出し、ポリオレフィン繊維やポリエステル繊維の地肌がむき出しとなった結果、ポリオレフィン繊維やポリエステル繊維本来の疎水性に基づいて発揮されるものである。
　したがって、甲２に記載された「アルキル基の炭素数が６以下であるアルキルリン酸エステルカリウム塩」が撥水剤としての機能・作用を奏するとはいえないから、申立人の前記主張には理由がない。
（２）請求項２及び５に係る発明について
　請求項２に係る発明は、請求項１に係る発明に対して、さらに「前記Ｒ１、Ｒ５、Ｒ７及びＲ９の炭素数が６〜８である」という技術的事項を追加したものであり、請求項５に係る発明は、請求項１に係る発明又は請求項２に係る発明に対して、さらに「前記Ｘ-が、フッ素以外のハロゲン化物イオン、メチル硫酸イオン、エチル硫酸イオンである」という技術的事項を追加したものである。
　よって、上記（１）イ．に示した理由と同様の理由により、本件特許の請求項２及び５に係る発明は、甲１発明ではなく、当業者が甲１発明に基いて容易に発明できたものでもない。
第５　申立理由２について
１．判断
　本件特許の発明が解決しようとする課題は、発明の詳細な説明に「【００１０】そこで、本発明は、フッ素を含まないはっ水剤と併用した場合にも、はっ水性能を阻害することなく帯電防止性能が得られ、
はっ水性と帯電防止性を得ることが可能で、かつ、加工時の安定性にも優れた
　そして、当該課題の解決については、本件特許の発明の詳細な説明には、「【００１１】発明者らは、上記課題に対して鋭意検討を重ねる中で、
第４級アンモニウム塩の中でも、最も炭素数が多い置換基（アルキル基、シクロアルキル基又はアリール基）の炭素数を４〜９という特定範囲に限定すれば、フッ素を含まないはっ水剤と併用した時にも、はっ水性を損なうことなく帯電防止性を付与することが可能で、加工時の安定性にも優れたはっ水帯電防止加工用の組成物が得られる
最も炭素数が多いアルキル基、シクロアルキル基又はアリール基でも炭素数が４〜９である
炭素数が１０以上のアルキル基、シクロアルキル基又はアリール基を持つ第４級アンモニウム塩は、帯電防止性は良好であるが、はっ水性への悪影響が大きいためはっ水加工には適さない
　また、本件特許の発明の詳細な説明には、「フッ素を含まないはっ水剤」として、「非フッ素系はっ水剤Ｂ-１（長鎖アルキル基を持つアクリル系共重合体）」（【００７９】）、「非フッ素系はっ水剤Ｂ-２（パラフィンワックス系）」（【００８０】）、「非フッ素系はっ水剤Ｂ-３（パラフィンワックス系／脂肪酸エステル系化合物配合）」（【００８１】）及び「非フッ素系はっ水剤Ｂ-４（シリコーン系樹脂）」（【００８２】）の４種類が記載されており、
アルキル基、シクロアルキル基又はアリール基の炭素数が４〜９である
　そうすると、本件特許の請求項１〜７に係る発明には、本件特許の発明の詳細な説明に記載された「発明が解決しようとする課題」を解決する手段が反映されている。また、はっ水性への影響は、専らアルキル基、シクロアルキル基又はアリール基の炭素数にあることから、本件特許の請求項１〜７に係る発明の範囲まで、発明の詳細な説明に開示された上記内容を拡張ないし一般化できる。
　したがって、本件特許の請求項１〜７に係る発明は、発明の詳細な説明に記載されたものである。
２．申立人の主張について
　申立人は、特許異議申立書において、次のように主張している。
「一方、本願明細書の表２〜５には、「（Ｂ）フッ素を含まないはっ水剤」として、アクリル系共重合体（Ｂ−１）、パラフィンワックス系（Ｂ−２）、パラフィンワックス系と脂肪酸エステル系配合（Ｂ−３）、シリコーン系（Ｂ−４）の４種類のフッ素を含まないはっ水剤を含有する繊維処理用組成物の具体例が示されているのみです。
　しかも、例えば、表２のアクリル系共重合体（Ｂ−１）を含有する実施例２〜４と、表３のパラフィンワックス系（Ｂ−２）を含有する実施例９〜１１は、「（Ｂ）フッ素を含まないはっ水剤」の種類のみが相違する具体例ですが、そのはっ水性（ＨＬ−０）の評価は大きく相違し、アクリル系共重合体（Ｂ−１）とパラフィンワックス系（Ｂ−２）のはっ水剤の性能は大きく異なることが理解できます。
・・・
　そうすると、本願明細書の実施例の記載をみても、親水性が高いと考えられる本発明の式（１）〜（４）のいずれの構造を有する第４級アンモニウム塩と、実施例に具体的に示されたアクリル系共重合体（Ｂ−１）、パラフィンワックス系（Ｂ−２）、パラフィンワックス系と脂肪酸エステル系配合（Ｂ−３）、シリコーン系（Ｂ−４）の４種類以外の極めて多くの種類の「（Ｂ）フッ素を含まないはっ水剤」との、組み合わせの全てが、実施例に記載された繊維処理用組成物と同様に、はっ水性を損なうことなく良好な帯電防止性をも付与することができ、安定性にも問題無いことを、当業者であっても直ちに理解することはできず、上記（４）(ア）(ii)に記載した本発明の課題を解決できるとはいえませんし、そのような出願時の技術常識があるとはいえません。」（特許異議申立書１５ページ１１行〜１６ページ８行）
　まず、本件特許の発明の詳細な説明には、「【００９０】表２に示されるとおり、各実施例と比較例１０（帯電防止剤を用いない例）とを比較すると、実施例の組成物は優れたはっ水性を保持していた。また、はっ水性の洗濯耐久性、帯電防止性、加工液の安定性についても良好な結果が得られた。　実施例に対して、炭素数が小さいアルキル基や芳香環を有する第４級アンモニウム塩を用いた例（比較例１〜４、７）は帯電防止性が十分でなかった。
炭素数が大きいアルキル基を有する第４級アンモニウム塩を用いた例（比較例５、６）ははっ水性を大きく阻害した
炭素数が大きいアルキル基を有する第４級アンモニウム塩を用いた例（比較例１４）ははっ水性を大きく阻害した
　そうすると、アクリル系共重合体（Ｂ−１）とパラフィンワックス系（Ｂ−２）のはっ水性が異なることを根拠にして、
アルキル基、シクロアルキル基又はアリール基の炭素数が４〜９である
アクリル系共重合体（Ｂ−１）、パラフィンワックス系（Ｂ−２）、パラフィンワックス系と脂肪酸エステル系配合（Ｂ−３）、シリコーン系（Ｂ−４）の４種類以外の
第６　申立理由３について
１．判断
　本件特許の請求項１には、「（Ｂ）フッ素を含まないはっ水剤」と記載されているから、本件特許の請求項１に係る発明は、その字句どおり、「はっ水剤」として「フッ素を含まない」ものであり、「はっ水」とは「水をはじくこと」（株式会社岩波書店　広辞苑第六版）を意味するから、「（Ｂ）フッ素を含まないはっ水剤」の意味は明確である。
２．申立人の主張について
　申立人は、特許異議申立書において、次のように主張している。
「本発明は、本願請求項１に「（Ｂ）フッ素を含まないはっ水剤」とだけ特定されており、上記（４）（ア）（ii）（本願明細書の段落００３９）に記載したとおり、本発明におけるフッ素を含まないはっ水剤として、分子の構造中にフッ素原子を含まず、かつ繊維に付与した時にはっ水性を発揮するものであれば特に制限されないと記載されています。
　しかしながら、本願請求項１の「（Ｂ）フッ素を含まないはっ水剤」には、どの程度のはっ水性能を有する、どのような物質が含まれ、どのような物質が含まれないのか、本願明細書には明確な定義が記載されていませんし、当該技術分野において、「（Ｂ）フッ素を含まないはっ水剤」に含まれる物質群について、当業者が明確に認識しているとまではいえません。
　しかも、上記４.（ウ）（ii）に記載したとおり、撥水性と加工性の両方を満足させる目的で、炭素数１０〜３０のアルキルリン酸エステル塩を用いることは、従来公知の技術であり、本願請求項１の「（Ｂ）フッ素を含まないはっ水剤」に相当する物質であると考えますが、本願明細書の段落００３５には、「・・アルキルリン酸等の公知の帯電防止剤を併用することもできる。」と記載されていることからも、本願請求項１の「（Ｂ）フッ素を含まないはっ水剤」に含まれる物質群が、より不明確なものとなっています。」（１６ページ１３行〜１７ページ５行）
　しかし、「（Ｂ）フッ素を含まないはっ水剤」については、上記１．のとおりであり、第三者に不測の不利益を生じるほどの不明確さはなく、本件特許の請求項１、２、５〜７に係る発明は明確であるから、申立人の前記主張には理由がない。
第７　むすび
　したがって、特許異議の申立ての理由及び証拠によっては、本件特許の請求項１〜７に係る特許を取り消すことはできない。　
また、他に本件特許の請求項１〜７に係る特許を取り消すべき理由を発見しない。
　よって、結論のとおり決定する。
【異議決定日】
令和３年９月３０日（２０２１．９．３０）